【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
ＢＭ−ＳＣ（Broadcast Multicast Service Centre）から、ＭＢＭＳ（Multimedia Broadcast/Multicast Service）ベアラが確立されたＧＧＳＮ（Gateway GPRS Support Node）及びＳＧＳＮ（Serving GPRS Support Node）を経由して基地局装置に接続される移動局装置にＭＢＭＳベアラサービスによりマルチキャストデータ配信を行う移動通信システムにおいて、
前記ＳＧＳＮは、前記基地局装置をＭＢＭＳ登録しており、
前記ＭＢＭＳベアラサービスにおいて、ＭＢＭＳベアラリソースを割り当てて確立するＭＢＭＳベアラの情報がＭＢＭＳベアラコンテキストに含まれており、
前記基地局装置は、
前記移動局装置に、サービス識別子または、ＴＭＧＩ（Temporary Mobile Group Identify）を含む確認メッセージを送信し、前記移動局装置からの応答に基づいて、マルチキャストデータ配信においてユーザが実際に視聴している移動局装置の数をカウントし、前記カウントした数が０の場合には、前記マルチキャストデータのＭＢＭＳ登録解除要求をＳＧＳＮに送信し、
前記ＳＧＳＮは、ＭＢＭＳ登録解除要求を受信した場合には、ＭＢＭＳベアラコンテキストの配信リストから、ＭＢＭＳ登録解除要求を送信した基地局装置を削除し、
前記基地局装置は、ＭＢＭＳ登録解除要求をＳＧＳＮに送信するのと併せて、ＭＢＭＳベアラリソースを解放することを特徴とする移動通信システム。
【請求項２】
前記ＳＧＳＮは、前記ＭＢＭＳベアラコンテキストの配信リストに含まれる前記基地局装置が無くなった場合には、ＭＢＭＳベアラコンテキストに対応づけられるＭＢＭＳ登録解除要求をＧＧＳＮに送信し、
前記ＧＧＳＮは、前記ＭＢＭＳベアラコンテキスト内の配信リストからＭＢＭＳ登録解除要求を送信した前記ＳＧＳＮを削除し、
前記ＧＧＳＮは、前記ＭＢＭＳベアラコンテキストの配信リストに含まれるマルチキャストデータ配信を行う前記基地局装置が無くなった場合には、前記ＭＢＭＳベアラコンテキストに対応づけられるＭＢＭＳ登録解除要求をＢＭ−ＳＣに送信し、
前記ＢＭ−ＳＣは、前記ＭＢＭＳベアラコンテキスト内の配信リストからＭＢＭＳ登録解除要求を送信した前記ＧＧＳＮを削除することを特徴とする請求項１に記載の移動通信システム。
【請求項３】
ＢＭ−ＳＣ（Broadcast Multicast Service Centre）から、ＭＢＭＳ（Multimedia Broadcast/Multicast Service）ベアラが確立されたＧＧＳＮ（Gateway GPRS Support Node）及びＳＧＳＮ（Serving GPRS Support Node）を経由して基地局装置に接続される移動局装置にＭＢＭＳベアラサービスによりブロードキャストデータ配信を行う移動通信システムにおいて、
前記ＳＧＳＮは、前記基地局装置をＭＢＭＳ登録しており、
前記ＭＢＭＳベアラサービスにおいて、ＭＢＭＳベアラリソースを割り当てて確立するＭＢＭＳベアラの情報がＭＢＭＳベアラコンテキストに含まれており、
前記基地局装置は、
前記移動局装置に、サービス識別子または、ＴＭＧＩ（Temporary Mobile Group Identify）を含む確認メッセージを送信し、前記移動局装置からの応答に基づいて、ブロードキャストデータ配信においてユーザが実際に視聴している移動局装置の数をカウントし、前記カウントした数が０の場合には、前記ブロードキャストデータのＭＢＭＳ登録解除要求をＳＧＳＮに送信し、
前記ＳＧＳＮは、ＭＢＭＳ登録解除要求を受信した場合には、ＭＢＭＳベアラコンテキストの配信リストから、ＭＢＭＳ登録解除要求を送信した基地局装置を削除し、
前記基地局装置は、ＭＢＭＳ登録解除要求をＳＧＳＮに送信するのと併せて、セッションを停止要求を含めて送信することを特徴とする移動通信システム。
【請求項４】
ＳＧＳＮは、ＭＢＭＳベアラコンテキストの配信リストに含まれるブロードキャストデータ配信を行う前記基地局装置が無くなった場合には、前記ＭＢＭＳベアラコンテキストに対応づけられるＭＢＭＳ登録解除要求をＧＧＳＮに送信し、
前記ＧＧＳＮは、前記ＭＢＭＳベアラコンテキスト内の配信リストから前記ＭＢＭＳ登録解除要求を送信したＳＧＳＮを削除し、
前記ＧＧＳＮは、前記ＭＢＭＳベアラコンテキストの配信リストに含まれるブロードキャストデータ配信を行うＳＧＳＮが無くなった場合には、前記ＭＢＭＳベアラコンテキストに対応づけられるＭＢＭＳ登録解除要求をＢＭ−ＳＣに送信し、
前記ＢＭ−ＳＣは、ＭＢＭＳベアラコンテキスト内の配信リストからＭＢＭＳ登録解除要求を送信したＧＧＳＮを削除することを特徴とする請求項３に記載の移動通信システム。
【請求項５】
ＢＭ−ＳＣ（Broadcast Multicast Service Centre）から、ＭＢＭＳ（Multimedia Broadcast/Multicast Service）ベアラが確立されたＧＧＳＮ（Gateway GPRS Support Node）及びＳＧＳＮ（Serving GPRS Support Node）を経由して基地局装置に接続される移動局装置にＭＢＭＳベアラサービスによりマルチキャストデータ配信を行う移動通信システムに接続される基地局装置において、
前記ＭＢＭＳベアラサービスにおいて、ＭＢＭＳベアラリソースを割り当てて確立するＭＢＭＳベアラの情報がＭＢＭＳベアラコンテキストに含まれており、
前記基地局装置において、マルチキャストデータ配信においてユーザが実際に視聴している移動局装置がいない場合に送信されるマルチキャストデータのＭＢＭＳ登録解除要求をＳＧＳＮに送信することを特徴とする基地局装置。
【請求項６】
ＢＭ−ＳＣ（Broadcast Multicast Service Centre）から、ＭＢＭＳ（Multimedia Broadcast/Multicast Service）ベアラが確立されたＧＧＳＮ（Gateway GPRS Support Node）及びＳＧＳＮ（Serving GPRS Support Node）を経由して基地局装置に接続される移動局装置にＭＢＭＳベアラサービスによりブロードキャストデータ配信を行う移動通信システムに接続される基地局装置において、
前記ＭＢＭＳベアラサービスにおいて、ＭＢＭＳベアラリソースを割り当てて確立するＭＢＭＳベアラの情報がＭＢＭＳベアラコンテキストに含まれており、
前記移動局装置に、サービス識別子を含む確認メッセージを送信し、前記移動局装置からの応答に基づいて、ブロードキャストデータ配信においてユーザが実際に視聴している移動局装置の数をカウントし、前記カウントした数が０の場合には、前記ブロードキャストデータのＭＢＭＳ登録解除要求をＳＧＳＮに送信することを特徴とする基地局装置。
【請求項７】
ＢＭ−ＳＣ（Broadcast Multicast Service Centre）から、ＭＢＭＳ（Multimedia Broadcast/Multicast Service）ベアラが確立されたＧＧＳＮ（Gateway GPRS Support Node）及びＳＧＳＮ（Serving GPRS Support Node）を経由して基地局装置に接続される移動局装置にＭＢＭＳベアラサービスによりマルチキャストデータ配信を行う移動通信システムに接続されるＳＧＳＮにおいて、
前記基地局装置をＭＢＭＳ登録しており、
前記ＭＢＭＳベアラサービスにおいて、ＭＢＭＳベアラリソースを割り当てて確立するＭＢＭＳベアラの情報がＭＢＭＳベアラコンテキストに含まれており、
前記基地局装置から、マルチキャストデータ配信においてユーザが実際に視聴している移動局装置が無くなった場合に送信されるマルチキャストデータのＭＢＭＳ登録解除要求を受信し、
前記ＭＢＭＳ登録解除要求を受信した場合には、ＭＢＭＳベアラコンテキストの配信リストから、ＭＢＭＳ登録解除要求を送信した基地局装置を削除することを特徴とするＳＧＳＮ。
【請求項８】
ＢＭ−ＳＣ（Broadcast Multicast Service Centre）から、ＭＢＭＳ（Multimedia Broadcast/Multicast Service）ベアラが確立されたＧＧＳＮ（Gateway GPRS Support Node）及びＳＧＳＮ（Serving GPRS Support Node）を経由して基地局装置に接続される移動局装置にＭＢＭＳベアラサービスによりブロードキャストデータ配信を行う移動通信システムに接続されるＳＧＳＮにおいて、
前記基地局装置をＭＢＭＳ登録しており、
前記ＭＢＭＳベアラサービスにおいて、ＭＢＭＳベアラリソースを割り当てて確立するＭＢＭＳベアラの情報がＭＢＭＳベアラコンテキストに含まれており、
前記基地局装置から、ブロードキャストデータ配信においてユーザが実際に視聴している移動局装置が無くなった場合に送信されるブロードキャストデータのＭＢＭＳ登録解除要求を受信し、
前記ＭＢＭＳ登録解除要求を受信した場合には、ＭＢＭＳベアラコンテキストの配信リストから、ＭＢＭＳ登録解除要求を送信した基地局装置を削除することを特徴とするＳＧＳＮ。
【請求項９】
前記請求項１から４の何れか一項に記載の移動通信システムに接続されることを特徴とする移動局装置。
【手続補正２】
【補正対象書類名】明細書
【補正対象項目名】００２７
【補正方法】変更
【補正の内容】
【００２７】
本発明の移動通信システムは、ＢＭ−ＳＣ（Broadcast Multicast Service Center）から、ＭＢＭＳ（Multimedia Broadcast/Multicast Service）ベアラが確立されたＧＧＳＮ（Gateway GPRS Support Node）及びＳＧＳＮ（Serving GPRS Support Node）を経由して基地局装置に接続される移動局装置にＭＢＭＳベアラサービスによりマルチキャストデータ配信を行う移動通信システムにおいて、
前記ＳＧＳＮは、前記基地局装置をＭＢＭＳ登録しており、
前記ＭＢＭＳベアラサービスにおいて、ＭＢＭＳベアラリソースを割り当てて確立するＭＢＭＳベアラの情報がＭＢＭＳベアラコンテキストに含まれており、
前記基地局装置は、
前記移動局装置に、サービス識別子を含む確認メッセージを送信し、前記移動局装置からの応答に基づいて、マルチキャストデータ配信を必要としている移動局装置の数をカウントし、前記カウントした数が０の場合には、前記マルチキャストデータのＭＢＭＳ登録解除要求をＳＧＳＮに送信し、
前記サービス識別子には、ＴＭＧＩ（Temporary Mobile Group Identify）を含み、
前記ＳＧＳＮは、ＭＢＭＳ登録解除要求を受信した場合には、ＭＢＭＳベアラコンテキストの配信リストから、ＭＢＭＳ登録解除要求を送信した基地局装置を削除することを特徴とする。
することを特徴とする。
【手続補正３】
【補正対象書類名】明細書
【補正対象項目名】００２８
【補正方法】削除
【補正の内容】
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】変更
【補正の内容】
【００３１】
また、本発明の移動通信システムにおいて、
前記ＳＧＳＮは、前記ＭＢＭＳベアラコンテキストの配信リストに含まれる前記基地局装置が無くなった場合には、ＭＢＭＳベアラコンテキストに対応づけられるＭＢＭＳ登録解除要求をＧＧＳＮに送信し、
ＧＧＳＮは、ＭＢＭＳベアラコンテキスト内の配信リストからＭＢＭＳ登録解除要求を送信し、
前記ＧＧＳＮは、前記ＭＢＭＳベアラコンテキストの配信リストに含まれるマルチキャストデータ配信を行う前記基地局装置が無くなった場合には、ＭＢＭＳベアラコンテキストに対応づけられるＭＢＭＳ登録解除要求をＢＭ−ＳＣに送信し、
ＢＭ−ＳＣは、ＭＢＭＳベアラコンテキスト内の配信リストからＭＢＭＳ登録解除要求を送信したＧＧＳＮを削除することを特徴とする。
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】変更
【補正の内容】
【００３３】
本発明の移動通信システムは、ＢＭ−ＳＣ（Broadcast Multicast Service Center）から、ＭＢＭＳ（Multimedia Broadcast/Multicast Service）ベアラが確立されたＧＧＳＮ（Gateway GPRS Support Node）及びＳＧＳＮ（Serving GPRS Support Node）を経由して基地局装置に接続される移動局装置にＭＢＭＳベアラサービスによりブロードキャストデータ配信を行う移動通信システムにおいて、
前記ＳＧＳＮは、前記基地局装置をＭＢＭＳ登録しており、
前記ＭＢＭＳベアラサービスにおいて、ＭＢＭＳベアラリソースを割り当てて確立するＭＢＭＳベアラの情報がＭＢＭＳベアラコンテキストに含まれており、  前記基地局装置は、
前記移動局装置に、サービス識別子を含む確認メッセージを送信し、前記移動局装置からの応答に基づいて、ブロードキャストデータ配信を必要としている移動局装置の数をカウントし、前記カウントした数が０の場合には、前記ブロードキャストデータのＭＢＭＳ登録解除要求をＳＧＳＮに送信し、
前記サービス識別子には、ＴＭＧＩ（Temporary Mobile Group Identify）を含み、
前記ＳＧＳＮは、ＭＢＭＳ登録解除要求を受信した場合には、ＭＢＭＳベアラコンテキストの配信リストから、ＭＢＭＳ登録解除要求を送信した基地局装置を削除し、
前記基地局装置は、ＭＢＭＳ登録解除要求をＳＧＳＮに送信するのと併せて、セッションを停止要求を含めて送信することを特徴とする。
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】